(57)【特許請求の範囲】
【請求項１】
湯水を貯える貯湯タンクと、前記貯湯タンクの下部に接続され、前記貯湯タンク内の湯水を排水する第１排水管と、前記貯湯タンクの上部と連通し膨張水を排水するための逃がし弁と、前記逃がし弁から膨張水を排水する第２排水管と、浴槽から前記貯湯タンクへの逆流を防止するための逆流防止手段と、前記逆流防止手段からの逆流水を排水する第３排水管と、前記第１排水管と接続された第１通路、前記第２排水管と接続された第２通路、前記第３排水管と接続された第３通路を有する排水栓と、前記排水栓の排水出口部の上流側に配設され、前記第１通路と前記第２通路と前記第３通路との合流水が流れる集約通路とを備え、前記第２通路の長手方向中心線を略鉛直方向とし、前記第３通路の長手方向中心線を鉛直方向に対して鋭角に傾けて互いは接続され、また、前記第２通路の鉛直投影断面、かつ、前記第３通路の鉛直投影断面が、前記集約通路の鉛直投影断面内に配置されるように構成されていることを特徴とする貯湯式給湯機。
【請求項２】
前記集約通路は、前記排水出口部に向けて狭まるテーパ形状であることを特徴とする請求項１に記載の貯湯式給湯機。
【発明の詳細な説明】
【技術分野】
【０００１】
本発明は、貯湯式給湯機の排水を行う排水栓に関するものである。
【背景技術】
【０００２】
従来、この種の貯湯式給湯機は、貯湯タンク排水用に貯湯タンクの下部に排水栓を設けているのが一般的であるが、配管工事性を向上させるため、貯湯タンク下部の排水および沸き上げ時の膨張水の排水などの排水関連を１箇所に集約して排水を行う排水栓が開示さ
れている（例えば、特許文献１参照）。
【０００３】
従来の貯湯式給湯機の排水栓は、図４、図５に示す構造となっている。図４、図５において、排水栓は、貯湯タンクの排水管を接続するための第１の接続口５３と、貯湯タンクの排水の開閉を行う開閉弁３０と、排水を器具外へ案内する排水通路７を有している。
【０００４】
さらに、その他の排水の接続口である第２の接続口５４を設け、逃がし弁から排水した膨脹水を案内する導管４を接続する導管の接続口５と、風呂水の逆流を防止して吸気排水栓機能付逆流防止手段から排出する風呂水排水を案内する排出管１１を接続する排出管の接続口１２の複数に分岐した構成となっている。
【０００５】
そして、導管４の接続口５、排出管１１の接続口１２の各接続口に連通した膨脹水通路６を設けて、逃がし弁から排水した膨脹水と風呂水の逆流を防止して吸気排水栓機能付逆流防止手段から排出する風呂水排水を同じ膨脹水通路６から排水する構成となっている。
【先行技術文献】
【特許文献】
【０００６】
【特許文献１】特開２０１０−２０６１号公報
【発明の概要】
【発明が解決しようとする課題】
【０００７】
しかしながら、前記従来の貯湯式給湯機の排水栓構成は、膨張水の排水通路と吸気排水栓機能付逆流防止手段から排出する風呂水排水の排水通路とが連通した膨脹水通路６が水平方向であるために、膨張水及び風呂水排水が少量の場合、膨張水通路６内に滞留し、厳寒時、残水の凍結により膨脹水通路６の出口が閉塞される課題があった。
【０００８】
本発明は、前記従来の課題を解決するもので、排水栓における膨張水及び風呂水排水の排水性能を向上させた貯湯式給湯機を提供することを目的とする。
【課題を解決するための手段】
【０００９】
前記従来の課題を解決するために、本発明の貯湯式給湯機は、湯水を貯える貯湯タンクと、前記貯湯タンクの下部に接続され、前記貯湯タンク内の湯水を排水する第１排水管と、前記貯湯タンクの上部と連通し膨張水を排水するための逃がし弁と、前記逃がし弁から膨張水を排水する第２排水管と、浴槽から前記貯湯タンクへの逆流を防止するための逆流防止手段と、前記逆流防止手段からの逆流水を排水する第３排水管と、前記第１排水管と接続された第１通路、前記第２排水管と接続された第２通路、前記第３排水管と接続された第３通路を有する排水栓と、前記排水栓の排水出口部の上流側に配設され、前記第１通路と前記第２通路と前記第３通路との合流水が流れる集約通路とを備え、前記第２通路の長手方向中心線を略鉛直方向とし、前記第３通路の長手方向中心線を鉛直方向に対して鋭角に傾けて互いは接続され、また、前記第２通路の鉛直投影断面、かつ、前記第３通路の鉛直投影断面が、前記集約通路の鉛直投影断面内に配置されるように構成されていることを特徴とするものである。
【００１０】
これにより、厳寒時、膨張水及び風呂水排水が少量の場合であっても、膨張水及び風呂水排水の滞留が発生しないため、残水の凍結により膨脹水通路の出口が閉塞されることなく、膨張水及び風呂水排水を排水することができる。
【発明の効果】
【００１１】
本発明によれば、排水栓における膨張水及び風呂水排水の排水性能を向上させた貯湯式給湯機を提供できる。
【図面の簡単な説明】
【００１２】
【図１】本発明の実施の形態１における貯湯式給湯機の構成図
【図２】同排水栓の外観図
【図３】同排水栓の断面図
【図４】従来の貯湯式給湯機の排水栓の開状態の断面図
【図５】従来の貯湯式給湯機の排水栓の開状態の断面図
【発明を実施するための形態】
【００１３】
第１の発明の貯湯式給湯機は、湯水を貯える貯湯タンクと、前記貯湯タンクの下部に接続され、前記貯湯タンク内の湯水を排水する第１排水管と、前記貯湯タンクの上部と連通し膨張水を排水するための逃がし弁と、前記逃がし弁から膨張水を排水する第２排水管と、浴槽から前記貯湯タンクへの逆流を防止するための逆流防止手段と、前記逆流防止手段からの逆流水を排水する第３排水管と、前記第１排水管と接続された第１通路、前記第２排水管と接続された第２通路、前記第３排水管と接続された第３通路を有する排水栓と、前記排水栓の排水出口部の上流側に配設され、前記第１通路と前記第２通路と前記第３通路との合流水が流れる集約通路とを備え、前記第２通路の長手方向中心線を略鉛直方向とし、前記第３通路の長手方向中心線を鉛直方向に対して鋭角に傾けて互いは接続され、また、前記第２通路の鉛直投影断面、かつ、前記第３通路の鉛直投影断面が、前記集約通路の鉛直投影断面内に配置されるように構成されていることを特徴とする貯湯式給湯機である。
【００１４】
これにより、厳寒時、膨張水及び風呂水排水が少量の場合であっても、膨張水及び風呂水排水の滞留が発生しないため、残水の凍結により膨脹水通路の出口が閉塞されることなく、膨張水及び風呂水排水を排水することができる。
【００１５】
第２の発明の貯湯式給湯機は、特に第１の発明において、前記集約通路は、前記排水出口部に向けて狭まるテーパ形状であることを特徴とするもので、排水の滞留を防止できるとともに、排水の飛散を防止することができる。また、前記排水出口部に内ネジ加工が為された仕様においても、排水の飛散を防止することができる。
【００１６】
以下、本発明の実施の形態について、図面を参照しながら説明する。なお、この実施の形態によって本発明が限定されるものではない。
【００１７】
（実施の形態１）
図１は、本発明の実施の形態における貯湯式給湯機の構成図である。図２は、本発明の実施の形態における貯湯式給湯機の排水栓の外観図である。図３は、本発明の実施の形態における貯湯式給湯機の排水栓の断面図である。
【００１８】
図１において、本発明の貯湯式給湯機は、熱源ユニット１８と貯湯ユニット３２とから構成されている。熱源ユニット１８は、循環冷媒を圧縮して高温を得るヒートポンプサイクルで構成される熱源部１９と、熱交換部２０を接続した回路からなり、ヒートポンプサイクル内には、例えば、二酸化炭素冷媒が循環している。
【００１９】
筐体で覆われた貯湯ユニット３２内部には、貯湯タンク１と貯湯タンク１の下部から水道水を供給する給水管２１と、貯湯タンク１の排水を行う排水栓２と、貯湯タンク１の下部と排水栓２とを接続する第１排水管５１と、貯湯タンク１の下部から熱交換部２０へ水を送水する循環ポンプ２２と、貯湯タンク１の上部へ加熱された湯水を供給する循環水路２３とを備え、貯湯タンク１と循環ポンプ２２の間には、貯湯タンク１内の圧力が所定以上に上昇すると圧力を器具外へ逃がす缶体保護弁１６を設けている。
【００２０】
そして給湯回路は、貯湯タンク１上部から湯水を取出す出湯管２４と、沸き上げ中の膨脹水を排水する逃がし弁３と、膨脹水を排水栓２へ案内する第２排水管１３と、所定温度の湯水を蛇口２５へ供給する給湯混合弁２６とを備えている。
【００２１】
さらに風呂回路は、貯湯タンク１上部から湯水を取出す出湯管２４と、出湯管２４から分岐した風呂出湯管５２と、貯湯タンク１からの湯水と給水管２１からの水を混合し、所定温度の湯水を浴槽２８へ供給する風呂混合弁２７と、風呂湯はりの入り切りを行う注湯弁２９と、貯湯タンク１内への風呂水の逆流を防止する逆流防止手段１０と、逆流防止手段１０から排出する風呂の逆流水を排水栓２へ案内する第３排水管３１を備えている。
【００２２】
図２は、排水栓の外観図である。図２において、排水栓２は、貯湯タンク１の湯水を排水する第１排水管５１と接続する第１通路３３と、第１通路３３の開閉を行うハンドル４１を備えるとともに、逃がし弁３からの膨張水を排水する第２排水管１３と接続する第２通路３４と、逆流防止手段１０からの風呂の逆流水を排水する第３排水管３１と接続する第３通路３５と、排水を器具外へ排出する排水出口部４０を備えている。
【００２３】
図３は、排水栓の断面図で、ハンドル４１の開操作により貯湯タンク１の湯水を排水する第１通路３３の開状態を示している。逃がし弁３からの膨張水を排水する第２通路３４は、第１通路３３の近傍に配置され、常時開状態である。
【００２４】
逆流防止手段１０からの風呂の逆流水を排水する第３通路３５は、第１通路３３の近傍に配置され、常時開状態である。
【００２５】
第２通路３４が略鉛直方向であるのに対して、第３通路３５は鋭角である一定の角度（約３０℃）にて傾いている。両通路は排水栓２内において、１つの集約通路４２に合流しており、第２通路３４の鉛直投影断面、かつ、第３通路３５の鉛直投影断面が、集約通路４２の鉛直投影断面内に配置されている。さらに、集約通路４２が、排水出口部４０に向けて狭まるテーパ形状となっている。
【００２６】
以上のように構成し、全排水を集約して排水出口部４０から貯湯ユニット３２の外部へ排水を行う貯湯式給湯機について、以下その動作、作用を説明する。
【００２７】
まず、貯湯タンク１へ湯を供給する沸き上げ運転動作を説明する。操作部５５で沸き上げ運転を開始すると、熱源ユニット１８内のヒートポンプシステムで構成された熱源部１９は、冷媒温度を上げながら冷媒を熱交換部２０へ供給する。
【００２８】
一方、循環水路２３内では、循環ポンプ２２が駆動し、貯湯タンク１下部の水が熱交換部２０へ流入し、ここで冷媒から水へ熱交換が行われ、水が温水となって貯湯タンク１へと供給される。
【００２９】
この時、貯湯タンク１内の膨脹水は、逃がし弁３から排水され、第２排水管１３を通り、排水栓２の第２通路３４から第２通路出口３８、排水出口部４０を経て器具外へと排水される。厳寒時、膨脹水が凍結し第２通路出口３８を閉塞すると、膨張水が排水されないため貯湯タンク１内の圧力が上昇し、缶体保護弁１６が作動して貯湯タンク１の圧力を逃す。
【００３０】
次に、断水時など、貯湯タンク１内の水位が低下し、貯湯タンク１内が負圧になった場合の逆流防止手段１０の動作について説明する。貯湯タンク１内が負圧になると湯張りした浴槽２８内の風呂水が大気圧で貯湯タンク１へ逆流し、貯湯タンク１内の湯水が不衛生
となるため、風呂回路に設けた逆流防止手段１０で貯湯タンク１内への逆流を防止するが、逆流した風呂の逆流水は、第３排水管３１を通り、排水栓２の第３通路３５から第３通路出口３９、排水出口部４０を経て器具外へと排水される。
【００３１】
このように、膨張水を排水する第２通路３４と風呂の逆流水を排水する第３通路３５の一方の長手方向中心線が略鉛直方向であり、また、他方の長手方向中心線が鉛直方向に対して、鋭角である一定の角度（約３０℃）にて傾いている構成とし、第１通路３３とともに１つの集約通路４２に合流しており、かつ、第２通路３４の鉛直投影断面、かつ、第３通路３５の鉛直投影断面が、集約通路４２の鉛直投影断面内に配置されるように構成されたことにより、厳寒時、膨張水及び風呂水排水が少量の場合であっても、膨張水及び風呂水排水の滞留が発生しないため、残水の凍結により膨脹水通路の出口が閉塞されることなく、膨張水及び風呂水排水を排水することができる。
【００３２】
さらに、集約通路４２を、集約通路出口４３に向けて狭まるテーパ形状としたことにより、排水出口部４０に内ネジ加工が為された仕様においても、排水の飛散を防止することができる。
【００３３】
長期間使用しない場合は貯湯タンク１の湯水の排水を行うが、その排水動作を図１および図３を用いて説明する。
【００３４】
給水管２１の止水栓を閉じ、逃がし弁３を開放し、排水栓２のハンドル４１を開栓すると、貯湯タンク１内の湯水は第１通路３３を通り、第１通路出口３７、排水出口部４０を経て器具外へと排水されると同時に、排水出口部４０の下方の空気は、第２通路出口３８、第２通路３４から第２排水管１３を通り、逃がし弁３を経て貯湯タンク１内へ取り込まれ、貯湯タンク内が空になるまで排水が継続する。
【産業上の利用可能性】
【００３５】
以上のように、本発明に係る貯湯式給湯機は、各種ヒートポンプ給湯機、さらには熱源に電気ヒーターを用いる電気温水器にも適用できる。
【符号の説明】
【００３６】
１  貯湯タンク
２  排水栓
３  逃がし弁
１０  逆流防止手段
１３  第２排水管
２８  浴槽
３１  第３排水管
３３  第１通路
３４  第２通路
３５  第３通路
３７  第１通路出口
３８  第２通路出口
３９  第３通路出口
４０  排水出口部
５１  第１排水管
４２  集約通路
４３  集約通路出口
５２  風呂出湯管
【図１】
0005942086.tif 000002
【図２】
0005942086.tif 000003
【図３】
0005942086.tif 000004
【図４】
0005942086.tif 000005
【図５】
0005942086.tif 000006